(57)【要約】【課題】紙片等の止着が片手による一段階の操作のみででき、紙片等を抜き出す際に不本意な剥がれ落ちがほとんど起こらず、スチール面からの剥がし取りが容易にできるマグネットシート製メモクリップを提供する。【解決手段】二枚のマグネットシートとプラスチック等のフィルムで構成され、二枚のマグネットシートの表面、裏面、側面（表面と裏面との間に位置するごく薄い面）の全域または一部域がフィルムによって覆われ、二枚のマグネットシートがフィルムを介して隣り合う位置に接続され、フィルムの任意の箇所にフラップが設けられることを特徴とするマグネットシート製メモクリップ。【選択図】図１
2017170901.tif 000002
【特許請求の範囲】
【請求項１】
マグネットシートＡ（形状、大きさは任意）とマグネットシートＢ（形状、大きさは任意）とプラスチック等の素材よりなるフィルム（形状、大きさ、枚数は任意）とで構成され、前記マグネットシートＡおよび前記マグネットシートＢの表面（非着磁面）、裏面（着磁面）、側面（表面と裏面との間に位置するごく薄い面）の全域または任意の一部域が前記フィルムによって覆われ、前記マグネットシートＡおよび前記マグネットシートＢが前記フィルムを介して隣り合う位置に接続されることを特徴とするマグネットシート製メモクリップ
【請求項２】
前記フィルムの任意の箇所にフラップ（形状、大きさ、個数は任意）が設けられることを特徴とする請求項１に記載のマグネットシート製メモクリップ。
【発明の詳細な説明】
【技術分野】
【０００１】  本発明は、紙片等をスチール面に止着するためのマグネットシート製メモクリップに関する。
【背景技術】
【０００２】  従来の斯かるマグネットシート製メモクリップにあっては、マグネットシートの表面（非着磁面）に紙等を貼着しただけの簡易な構造のマグネットシート製メモクリップが広く知られている。これは、主に広告媒体として活用されており、表面に広告等が印刷され、一般住宅の郵便受けに頻繁に投函されている（以降、このマグネットシート製メモクリップを「簡易マグネットクリップ」と称する）。
【先行技術文献】
【特許文献】
【０００３】
【特許文献１】特許公開１９９６−２１６５７８
【特許文献２】特許公開１９９８−０００８９０
【特許文献３】特許公開２０１１−２１８７７１
【発明の概要】
【発明が解決しようとする課題】
【０００４】  「簡易マグネットクリップ」は、使い勝手に関して多くの課題を抱えている。【０００５】  第一の課題は、「簡易マグネットクリップ」で紙片等をスチール面に止着するには、最初に左右いずれかの手で「簡易マグネットクリップ」をスチール面から剥がし取り、次にもう一方の手で紙片等をスチール面に押し当てて、最後に「簡易マグネットクリップ」で紙片等を止着するという両手による三段階の操作が必要とされることである（以降、この課題を「紙片等の止着の煩雑性」と称する）。【０００６】  第二の課題は、「簡易マグネットクリップ」でスチール面に止着されている紙片等を抜き出す際、紙片等を手前側に角度がついた方向に抜き出してしまうと、「簡易マグネットクリップ」がスチール面から簡単に剥がれ落ちてしまうことである（以降、この課題を「不本意な剥がれ落ち」と称する）。【０００７】  第三の課題は、「簡易マグネットクリップ」をスチール面から剥がし取るには、「簡易マグネットクリップ」の縁部を爪で引っ掛けて剥がし取るという煩わしい操作が必要とされることである（以降、この課題を「剥がし取りの煩雑性」と称する）。【０００８】  従来の発明の中には、例えば特許文献１、２、３に示すように、上記の課題などを解決する発明が存在する。特許文献１の発明は、「紙片等の止着の煩雑性」、「不本意な剥がれ落ち」、「剥がし取りの煩雑性」などを解決する発明であり、紙片等の止着の容易化などの成果が認められる。しかしながら、特許文献１の発明は、紙片等の止着には両手による操作を必要とする。特許文献２、３の発明は、「紙片等の止着の煩雑性」などを解決する発明であり、紙片等の止着の容易化などの成果が認められる。しかしながら、特許文献２、３の発明は、「不本意な剥がれ落ち」、「剥がし取りの煩雑性」の解決については特に言及をしていない。【０００９】  本発明は、上記の発明とは全く異なる手段にて、「紙片等の止着の煩雑性」、「不本意な剥がれ落ち」、「剥がし取りの煩雑性」を解決することを目的とする。すなわち、本発明は、紙片等の止着が片手による一段階の操作のみででき、紙片等を抜き出す際に不本意な剥がれ落ちがほとんど起こらず、スチール面からの剥がし取りが容易にできるマグネットシート製メモクリップを提供することを目的とする。
【課題を解決するための手段】
【００１０】  請求項１の発明は、「紙片等の止着の煩雑性」、「不本意な剥がれ落ち」を解決するための手段であり、マグネットシートＡ（形状、大きさは任意）とマグネットシートＢ（形状、大きさは任意）とプラスチック等の素材よりなるフィルム（形状、大きさ、枚数は任意）とで構成され、前記マグネットシートＡおよび前記マグネットシートＢの表面（非着磁面）、裏面（着磁面）、側面（表面と裏面との間に位置するごく薄い面）の全域または任意の一部域が前記フィルムによって覆われ、前記マグネットシートＡおよび前記マグネットシートＢが前記フィルムを介して隣り合う位置に接続されることを特徴とするマグネットシート製メモクリップである。【００１１】  請求項２の発明は、「剥がし取りの煩雑性」を解決するための手段であり、前記フィルムの任意の箇所にフラップ（形状、大きさ、個数は任意）が設けられることを特徴とする請求項１に記載のマグネットシート製メモクリップである。
【発明の効果】
【００１２】  請求項１、２の発明によれば、「紙片等の止着の煩雑性」が解決される。その仕組みを以下に説明する。請求項１、２の発明は、マグネットシートＡ、Ｂの表面、裏面、側面の全域または一部域がフィルムによって覆われるという構造である。請求項１、２の発明をスチール面に貼り付けると、マグネットシートＡ、Ｂの縁部とスチール面との間には小さな隙間が形成される（この小さな隙間は、マグネットシートの側面がフィルムによって覆われている部分において形成され、覆われていな部分においては形成されない）。なぜなら、マグネットシートＡ、Ｂとスチール面との間にはフィルムが介在するからである。請求項１、２の発明においては、この小さな隙間を紙片等の挿入口として利用する。片手に摘まんだ紙片等の先端を挿入口から挿入すると、紙片等はスムーズに奥へと進んでいきスチール面に止着される。【００１３】  請求項１、２の発明によれば、「不本意な剥がれ落ち」が解決される。その仕組みを以下に説明する。請求項１、２の発明は、マグネットシートＡ、Ｂがフィルムを介して隣り合う位置に接続されるという構造である。紙片等を抜き出す際、一方のマグネットシートが紙片等から伝わる力によってスチール面から剥がされたとしても、もう一方のマグネットシートがスチール面に貼り付いているので、請求項１、２の発明はスチール面から不本意に剥がれ落ちることがない。【００１４】  請求項２の発明によれば、「剥がし取りの煩雑性」が解決される。その仕組みを以下に説明する。請求項２の発明は、フィルムの任意の箇所にフラップ（形状、大きさ、個数は任意）が設けられるという構造である。このフラップを指で摘まんで手前に軽く引けば、請求項２の発明をスチール面から容易に剥がし取ることができる。【００１５】  請求項１、２の発明は、フィルムの表面に広告等を印刷することにより広告媒体として活用することができる。請求項１、２の発明は、「簡易マグネットクリップ」に比べ人目に触れる機会が多いという長所を持つ。なぜなら、請求項１、２の発明は、「簡易マグネットクリップ」に比べ使い勝手に優れておりその分使用頻度が高くなるからである。より広い業種において広告媒体として活用されることが期待される。
【図面の簡単な説明】
【００１６】
【図１】実施例１の正面図である。
【図２】実施例１の背面図である。
【図３】実施例１の断面図である。
【図４】紙片等を止着している実施例１の断面図である。
【図５】一方のマグネットシートがスチール面から剥がされている実施例１の断面図である。
【図６】紙片等を抜き出した後の実施例１の断面図である。
【図７】実施例２の正面図である。
【図８】実施例２の背面図である。
【図９】実施例２の断面図である。
【発明を実施するための形態】
【実施例】
【００１７】  実施例１は、請求項２の発明の実施例である。実施例１の構造を図１、２、３に示す。実施例１は、マグネットシートＡ１とマグネットシートＢ２とフィルム３（実施例１ではフィルム３の素材をプラスチックとしているがマグネットシートの磁力を透過する膜状のものであれば何でもよい）で構成される。そして、マグネットシートＡ１（大きさは３×９ｃｍ）が表面の全域、裏面の下縁側の一部域、下縁側の側面の全域がフィルム３によって覆われ、マグネットシートＢ２（大きさは３×９ｃｍ）が表面の全域、裏面の上縁側の一部域、上縁側の側面の全域がフィルム３によって覆われ、マグネットシートＡ１とマグネットシートＢ２がフィルム３を介して隣り合う位置に接続され（マグネットシートＡ１とマグネットシートＢ２とフィルム３の三者はそれぞれが接する箇所で接着剤にて接着されている）、フラップ４がフィルム３の上縁と下縁に設けられる。以上が実施例１の構造である（なお、実施例１からフラップ４を取り外すと請求項１の発明の実施例になると考えて差し支えない）。【００１８】  実施例１が「紙片等の止着の煩雑性」を解決する仕組みを図３に基づき説明する。図３で注目していただきたいのは、マグネットシートＡ１の下縁とスチール面Ｗとの間に形成される隙間Ｓである。この隙間Ｓは、マグネットシートＡ１とスチール面Ｗの間にフィルム３が介在することにより形成される（同様の隙間Ｓが、マグネットシートＢ２の上縁とスチール面Ｗとの間にも形成される）。実施例１においては、この隙間Ｓを紙片等の挿入口Ｓとして利用する。片手に摘まんだ紙片等の先端を挿入口Ｓに挿入すると、紙片等はスムーズに奥へと進んでいき止着される。【００１９】  実施例１が「不本意な剥がれ落ち」を解決する仕組みを図４、５、６に基づき説明する。図４は、実施例１がマグネットシートＡ１で紙片等Ｐをスチール面Ｗに止着している状態を示している。図５は、手前側に角度がついた方向に紙片等Ｐを抜き出してしまい、マグネットシートＡ１が紙片等Ｐからの力によってスチール面Ｗから剥がされている状態を示している。しかし、このような状況に陥っても、マグネットシートＢ２はスチール面Ｗにしっかりと貼り付いている。したがって、実施例１はスチール面Ｗから剥がれ落ちない。図６は、紙片等Ｐを抜き出した後の状態を示している。紙片等Ｐが抜き出され、マグネットシートＡ１は元通りにスチール面Ｗに貼り付いている。【００２０】  実施例１が「剥がし取りの煩雑性」を解決する仕組みを説明する。実施例１は、図３に示すように、下縁と上縁にフラップ４を備えている。このフラップ４を指で摘まんで手前に軽く引けば、実施例１をスチール面Ｗから簡単に剥がし取ることができる。【００２１】  実施例１の使用法を説明する。実施例１を使用するには、まず、実施例１をスチール面に貼り付ける。このとき、マグネットシートＡとマグネットシートＢを上下に配置してもよいし、左右に配置してもよい。上下に配置した場合、下に配置されたマグネットシートで比較的大きな紙片等を止着することができる。左右に配置した場合、比較的小さな紙片等を左右に止着することができる。紙片等を止着するには、片手に摘まんだ紙片等をそのまま挿入口に挿���すればよい。このとき、紙片等の先端をスチール面にぶつけるようにして挿入するとよりスムーズに挿入できる。紙片等を抜き出すには、紙片等の一端を指で摘まんで抜き出すだけでよい。このとき、手前側に角度がついた方向に紙片等を抜き出したとしても、実施例１がスチール面から剥がれ落ちることはほとんどない。実施例１をスチール面から剥がし取るには、フラップを指で摘まんで軽く引くだけでよい。【００２２】  実施例１とは別の実施例を実施例２に示す。実施例２の構造を図７、８、９に示す。実施例１と実施例２の最大の違いは、実施例１のフィルム３の形状はシート状の単純な形状であるのに対し、実施例２のフィルム３の形状は袋状の構造を有する複雑な形状であることである。実施例２においては、マグネットシートＡ１（大きさは６×９ｃｍ）がフィルム３の袋の内部に格納され、マグネットシートＡ１とマグネットシートＢ２（大きさは３×９ｃｍ）がフィルム３を介して接続され（マグネットシートＢ２とフィルム３はそれぞれが接する箇所で接着剤にて接着されている）、フラップ４がフィルム３の下縁に設けられる。以上が実施例２の構造である。【００２３】  実施例２が「紙片等の止着の煩雑性」、「不本意な剥がれ落ち」、「剥がし取りの煩雑性」を解決する仕組みは実施例１と同様である。また、実施例２の使用法も基本的には実施例１と同様である。ただし、実施例２は、マグネットシートＡを下に、マグネットシートＢを上に配置して使用しなければならない（実施例１のように二枚のマグネットシートを左右に配置して使用することはできない）。なぜなら、実施例２においては、マグネットシートＡは紙片止着用として機能し、マグネットシートＢは「不本意な剥がれ落ち」防止用として機能し、このことがマグネットシートＡ、Ｂの位置関係を規定するからである。【００２４】  実施例２の長所を説明する。実施例２のフィルム３は袋状の構造を有する形状である。この袋の内部には、マグネットシートＡ以外にも様々なものを格納することができる。例えば、写真やカード類である。フィルムを透明なものとすれば、格納したものを外から見ることができ、実施例２の外観や質感の向上にもつながる。
【符号の説明】
【００２５】  １    マグネットシートＡ
２    マグネットシートＢ
３    フィルム
４    フラップ
Ｓ    隙間または挿入口
Ｗ    スチール面
Ｐ    紙片等
【図１】
2017170901.tif 000003
【図２】
2017170901.tif 000004
【図３】
2017170901.tif 000005
【図４】
2017170901.tif 000006
【図５】
2017170901.tif 000007
【図６】
2017170901.tif 000008
【図７】
2017170901.tif 000009
【図８】
2017170901.tif 000010
【図９】
2017170901.tif 000011